(57)【要約】【課題】本発明は貯蔵物の鮮度を保つことができる冷蔵庫を提供することを目的とする。【解決手段】仕切壁１１の上方に配される第１貯蔵室５と、仕切壁１１の下方に配される第２貯蔵室７と、仕切壁１１内を貫通して第１貯蔵室５に臨む冷気流出口３０と第２貯蔵室７に臨む冷気流入口３１とを開口する連通路３２と、第２貯蔵室７内に配されて前後方向にスライドする収納ケース２５と、収納ケース２５の上面の開口部２５ａに近接する遮蔽部材１６とを備え、開口部２５ａの前端よりも前方に冷気流入口３１から冷気が吐出される。【選択図】図３
2015161487.tif 000002
【特許請求の範囲】
【請求項１】
仕切壁の上方に配される第１貯蔵室と、
前記仕切壁の下方に配される第２貯蔵室と、
前記仕切壁内を貫通して第１貯蔵室に臨む冷気流出口と第２貯蔵室に臨む冷気流入口とを開口する連通路と、
第２貯蔵室内に配されて前後方向にスライドする収納ケースと、
前記収納ケースの上面の開口部に近接する遮蔽部材とを備え、
前記開口部の前端よりも前方に前記冷気流入口から冷気が吐出されることを特徴とする冷蔵庫。
【請求項２】
前記遮蔽部材が前記仕切壁の下面に沿って配されるとともに着脱可能に設けられ、
前記冷気流入口が複数の孔部から成り、一部の前記孔部によって前記遮蔽部材の鉛直方向に対向する対向部を形成したことを特徴とする請求項１に記載の冷蔵庫。
【請求項３】
前記仕切壁の上面の前部に前方が上方に傾斜する傾斜面を設けるとともに、前記傾斜面上に前記冷気流出口が開口し、
前記冷気流出口の下端が前記対向部の鉛直上方又は前記対向部よりも後方に配されることを特徴とする請求項２に記載の冷蔵庫。
【請求項４】
前記遮蔽部材の上面に前記対向部に面した凹部を設けたことを特徴とする請求項１〜３のいずれかに記載の冷蔵庫。
【請求項５】
第２貯蔵室の前面に配される扉の両側部の背面側から後方に延びるフレームと、
第２貯蔵室の両側壁に設けられて前記フレームを案内するガイド部とを備え、
前記収納ケースが下方に配される下段ケースと、上方に配される上段ケースとを有するとともに、
前記下段ケースが両側壁の前端から所定距離離れて前記フレーム上に載置されるとともに前記上段ケースが載置される載置部と、前記載置出部よりも上方で前記冷気流出口と異なる位置で前記下段ケースの前壁の上端部から冷気の流通を確保できるように前方に突出する突出部とを有し、
前記突出部が前記扉の背面に設けた支持部の上面に当接又は近接することを特徴とする請求項１〜４のいずれかに記載の冷蔵庫。
【発明の詳細な説明】
【技術分野】
【０００１】
本発明はスライド移動する収納ケースを備えた冷蔵庫に関する。
【背景技術】
【０００２】
従来の冷蔵庫は特許文献１に開示されている。この冷蔵庫は断熱箱体を有する。断熱箱体は前面が開口した複数の貯蔵室を形成する内箱と、内箱の外側を覆う外箱とを有し、内箱と外箱との間にはポリウレタンフォーム等の発泡断熱材が充填される。
【０００３】
内箱には上から順に冷蔵室、製氷室、冷凍室、野菜室が配されている。それぞれの貯蔵室間は仕切壁により仕切られている。野菜室内には引き出し式の収納ケースが設けられている。収納ケースは上面が開口した開口部を有し、収納ケースの開口部は仕切壁に近接している。
【０００４】
冷蔵室の背後には冷気が流通する冷蔵冷気通路が設けられる。冷凍室及び製氷室の背後にはダンパを介して冷蔵冷気通路に連通する冷凍冷気通路が設けられる。冷凍冷気通路には冷却器が設けられ、冷凍冷気通路を流通する空気と熱交換して冷気を生成する。
【０００５】
冷凍冷気通路には冷凍室内に臨んで冷気を吐出する吐出口及び冷却器に冷気を戻す戻り口が開口している。冷蔵冷気通路には冷蔵室内に臨んで冷気を吐出する吐出口が開口している。仕切壁には冷蔵室と野菜室とを貫通する連通路が設けられ、野菜室には冷蔵室からの冷気が連通路を介して流入する冷気流入口及び冷却器に冷気を戻す戻り口が開口している。野菜室の冷気流入口は収納ケースの上方に設けられる仕切壁の後端に設けられている。
【０００６】
冷凍冷気通路を流通する空気は冷却器と熱交換し、吐出口から冷凍室に冷気が吐出され、戻り口を介して冷却器に戻る。ダンパが開かれると吐出口を介して冷蔵室内に冷気が吐出され冷蔵室内を流通する。冷蔵室を流通した冷気は連通路に流出し、冷気流入口を介して野菜室に流入する。収納ケースの後方の冷気流入口から流入した冷気は収納ケースの周囲を流通し、戻り口を介して冷却器に戻る。これにより、冷蔵室及び野菜室が冷却される。この時、仕切壁により収納ケースが覆われているので、収納ケース内が保湿されている。
【先行技術文献】
【特許文献】
【０００７】
【特許文献１】特開２０１１−６４３６５号公報
【発明の概要】
【発明が解決しようとする課題】
【０００８】
上記従来の冷蔵庫によると、仕切壁と収納ケース内との間には収納ケースがスライド可能になるために、隙間が設けられている。このため、冷気が収納ケースの周囲を流通した際に冷気が隙間から収納ケース内に進入する。これにより、貯蔵物が乾燥して貯蔵物の鮮度を保つことができないという問題がある。
【０００９】
本発明は、貯蔵物の鮮度を保つことができる冷蔵庫を提供することを目的とする。
【課題を解決するための手段】
【００１０】
上記目的を達成するために本発明の冷蔵庫は、仕切壁の上方に配される第１貯蔵室と、前記仕切壁の下方に配される第２貯蔵室と、前記仕切壁内を貫通して第１貯蔵室に臨む冷気流出口と第２貯蔵室に臨む冷気流入口とを開口する連通路と、第２貯蔵室内に配されて前後方向にスライドする収納ケースと、前記収納ケースの上面の開口部に近接する遮蔽部材とを備え、前記開口部の前端よりも前方に前記冷気流入口から冷気が吐出されることを特徴とする。
【００１１】
また本発明は、上記構成の冷蔵庫において、前記遮蔽部材が前記仕切壁により形成されることを特徴とする。
【００１２】
また本発明は、上記構成の冷蔵庫において、前記遮蔽部材が前記仕切壁の下面に沿って配されるとともに着脱可能に設けられ、前記冷気流入口が複数の孔部から成り、一部の前記孔部によって前記遮蔽部材の鉛直方向に対向する対向部を形成したことを特徴とする。
【００１３】
また本発明は、上記構成の冷蔵庫において、前記仕切壁の上面の前部に前方が上方に傾斜する傾斜面を設けるとともに、前記傾斜面上に前記冷気流出口が開口し、前記冷気流出口の下端が前記対向部の鉛直上方又は前記対向部よりも後方に配されることを特徴とする。
【００１４】
また本発明は、上記構成の冷蔵庫において、前記遮蔽部材の上面に前記対向部に面した凹部を設けたことを特徴とする。
【００１５】
また本発明は、上記構成の冷蔵庫において、第２貯蔵室の前面に配される扉の両側部の背面側から後方に延びるフレームと、第２貯蔵室の両側壁に設けられて前記フレームを案内するガイド部とを備え、前記収納ケースが下方に配される下段ケースと、上方に配される上段ケースとを有するとともに、前記下段ケースが両側壁の前端から所定距離離れて前記フレーム上に載置されるとともに前記上段ケースが載置される載置部と、前記載置出部よりも上方で前記冷気流出口と異なる位置で前壁の上端部から冷気の流通を確保できるように前方に突出する突出部とを有し、突出部が前記扉の背面に設けた支持部の上面に当接又は近接する。
【００１６】
また本発明は、上記構成の冷蔵庫において、前後にスライドして貯蔵室の前面を開閉する扉と、前記扉に支持される収納ケースと、前記扉の両側部の背面側から後方に延びるフレームと、前記貯蔵室の両側壁に設けられて前記フレームを案内するガイド部と、前記収納ケースが下方に配される下段ケースと、上方に配される上段ケースとを備えた冷蔵庫において、前記下段ケースが両側壁の前端から所定距離離れて前記フレーム上に載置されるとともに前記上段ケースが載置される載置部と、前記載置出部よりも上方で前記下段ケースの前壁の上端部から冷気の流通を確保できるように前方に突出する突出部と、を有し、前記突出部が前記扉の背面に設けた支持部の上面に当接又は近接することを特徴とする。
【発明の効果】
【００１７】
本発明によると、収納ケースの上面の開口部の前端よりも前方に冷気流入口から冷気が吐出されるため、貯蔵物の乾燥を抑えて貯蔵物の鮮度を保つことができる。
【図面の簡単な説明】
【００１８】
【図１】本発明の第１実施形態の冷蔵庫を示す正面図
【図２】図１のＡ−Ａ断面図
【図３】本発明の第１実施形態の冷蔵庫の仕切壁の側面断面図
【図４】本発明の第１実施形態の冷蔵庫の収納ケースの斜視図
【図５】本発明の第１実施形態の冷蔵庫の収納ケースの正面断面図
【図６】本発明の第１実施形態の冷蔵庫の下段ケースの底壁の側面断面図
【図７】本発明の第２実施形態の冷蔵庫の側面断面図
【図８】本発明の第３実施形態の冷蔵庫の下段ケースの一部を示す上面図
【発明を実施するための形態】
【００１９】
＜第１実施形態＞
以下に図面を参照して本発明の実施形態を説明する。図１は第１実施形態の冷蔵庫１を示す正面図を示しており、図２は図１のＡ−Ａ断面図を示している。冷蔵庫１は内箱１７と内箱１７の外側を覆う外箱１８とを有した断熱箱体３により形成される本体部２を備えている。内箱１７と外箱１８との間にはポリウレタンフォーム等の発泡断熱材４が充填されている。
【００２０】
本体部２の上部には冷蔵室（第１貯蔵室）５が設けられている。冷蔵室５の下方には断熱材１９を充填した仕切壁１１を介して冷凍室６及び野菜室（第２貯蔵室）７が左右に並設される。野菜室７には貯蔵物を収納する収納ケース２５が設けられ、仕切壁１１には収納ケース２５に近接して収納ケース２５の上面の開口部２５ａを覆う着脱可能な遮蔽部材１６が設けられている。
【００２１】
冷凍室６と野菜室７との間には上下に延びた縦仕切部（不図示）が設けられている。冷凍室６は上下に設けられる上室６ａ及び下室６ｂに区画されている。
【００２２】
冷凍室６及び野菜室７の下方には本体部２の左右に延びた仕切壁１３を介して冷凍室８が設けられている。冷凍室８には貯蔵物を収納する収納ケース１５が設けられている。冷凍室８の後方には機械室２０が設けられている。
【００２３】
冷蔵室５は貯蔵物を冷蔵保存し、野菜室７は冷蔵室５よりも高温に維持して野菜等の貯蔵物を冷蔵保存する。冷凍室６及び冷凍室８は連通し、貯蔵物の冷凍保存や製氷を行う。機械室２０内には冷凍サイクルを運転する圧縮機２１が配されている。
【００２４】
冷蔵室５は左右端でそれぞれ枢支された観音開きの扉５ａ、５ｂにより開閉される。上室６ａの前面には引き出し式の扉６ｃが設けられ、下室６ｂの前面には引き出し式の扉６ｄが設けられている。冷凍室８は収納ケース１５と一体のスライド式の扉８ａにより開閉される。
【００２５】
野菜室７には収納ケース２５と一体のスライド式の扉７ａが野菜室７の前面に設けられている。扉７ａには扉７ａの両側部の背面側から後方に延びるフレーム７ｂ、７ｃが設けられている（図５参照）。野菜室７の両側壁にはフレーム７ｂ、７ｃを案内するガイド部１４が設けられている。フレーム７ｂ、７ｃがガイド部１４に前後方向にスライドして案内されることにより、野菜室７は扉７ａにより開閉される。
【００２６】
冷凍室６、８の背面部には冷気通路２２が設けられ、冷気通路２２には冷却器１０及び送風機（不図示）が配され、冷凍室６、８に臨む吐出口（不図示）及び冷却器１０に冷気を戻す戻り口（不図示）が開口する。冷却器１０は圧縮機２１に接続され、冷気を生成する。
【００２７】
冷蔵室５の背面部にはダンパ（不図示）を介して冷気通路２２と連通する冷気通路２３が設けられている。冷気通路２３には冷蔵室５に臨む吐出口２３ａが開口している。
【００２８】
図３は仕切壁１１の前部の側面断面図を示している。仕切壁１１の上面の前部には前方が上方に傾斜する傾斜面１１ａが設けられている。仕切壁１１には仕切壁１１を貫通して傾斜面１１ａに設けられる冷気流出口３０と野菜室７に臨む冷気流入口３１とを開口する連通路３２が設けられている。
【００２９】
冷気流出口３０は下から順に複数の孔部３０ｂ、３０ｃ、３０ｄを有し、下端の孔部３０ｂは仕切壁１１の上面よりも上方に配されている。
【００３０】
冷気流入口３１は複数の孔部３１ａ、３１ｂ、３１ｃを有している。前方の孔部３１ｂ、孔部３１ｃは収納ケース２５の上面の開口部２５ａの前端よりも前方に配されている。後端の孔部３１ａは遮蔽部材１６の鉛直方向に対向する対向部を形成している。
【００３１】
遮蔽部材１６は仕切壁１１の下面に沿って着脱可能に設けられ、遮蔽部材１６にはリブ１６ａ及び凹部１６ｂ（図５参照）が設けられている。リブ１６ａは孔部３１ａよりも前方に配され、遮蔽部材１６の前端に左右方向に延びて上方に突出して形成されている。凹部１６ｂは遮蔽部材１６の上面に設けられ、孔部３１ａに面した位置に配されている。
【００３２】
冷気流出口３０の下端３０ａを形成する孔部３０ｂは孔部３１ａの鉛直上方に配されている。なお、下端３０ａが孔部３１ａよりも後方に配されてもよい。
【００３３】
収納ケース２５は下方に配される下段ケース３８と、上方に配される上段ケース３３とを有している。図４は収納ケース２５を下方から見た斜視図を示し、図５は収納ケース２５の正面断面図を示している。下段ケース３８は上面を開口し、側壁３８ａ、３８ｂ及び後壁の上部を切欠いた切欠部３９を有している。切欠部３９は側壁３８ａ、３８ｂの前端から所定距離後方に設けられ、下段ケース３８の前部には背の高い貯蔵物（２Ｌのペットボトル等）が収納される。
【００３４】
側壁３８ａ、３８ｂの上端には外側に突出するフランジ４０ｃ、４０ｄが設けられる。フランジ４０ｃ、４０ｄは切欠部３９の下端に設けられる載置部４０ａ、４０ｂを有している。載置部４０ａ、４０ｂは扉７ａの両側部から後方に延びるフレーム７ｃ、７ｄ上に載置される。フランジ４０ｃ、４０ｄの前部はフレーム７ｃ、７ｄから離れて載置部４０ａ、４０ｂよりも上方に配される。載置部４０ａ、４０ｂの上面には前後方向に延びるリブ４０ｅ、４０ｆが設けられている。
【００３５】
上段ケース３３は上面を開口した開口部３３ａを有し、載置部４０ａ、４０ｂ上に載置されている。リブ４０ｅ、４０ｆにより上段ケース３３の左右方向の移動を規制している。
【００３６】
上段ケース３３の開口部３３ａと下段ケース３８の切欠部３９よりも前方の上面の開口部の前部３８ｇとは遮蔽部材１６により覆われる。この時、遮蔽部材１６の側壁１６ｃ、１６ｄにより下段ケース３８の両側壁の上部の一部と上段ケース３３の両側壁の上部とを覆っている。遮蔽部材１６の後壁１６ｅにより上段ケース３３の後壁の上部を覆っている。これにより、上段ケース３３は遮蔽部材１６によって保湿され、下段ケース３８内は遮蔽部材１６及び上段ケース３３により保湿される。
【００３７】
下段ケース３８の前壁３８ｃの上端の両側部には載置部４０ａ、４０ｂよりも上方に配されて冷気の流通を確保できるように前方に突出する突出部４１ａ、４１ｂが設けられている。この時、突出部４１ａ、４１ｂは冷気流出口３０（図３参照）と左右方向に異なる位置に配されている。扉７ａの背面には段差により形成される支持部７ｄが設けられ（図３参照）、突出部４１ａ、４１ｂは支持部７ｄの上面に当接又は近接している。なお、支持部７ｄを扉７ａの背面に突出する突出部材により形成してもよい。
【００３８】
フレーム７ｃ、７ｄに支持される載置部４０ａ、４０ｂは下段ケース３８の上下方向の略中央部に配される。このため、載置部４０ａ、４０ｂよりも下方の高さが小さく、下段ケース３８の抜き勾配により左右方向に減少する幅Ｄ１を小さくできる。このため、下段ケース３８の左右方向の幅を大きく形成できる。また、載置部４０ａ、４０ｂ上に載置される上段ケース３３をフレーム７ｃ、７ｄの鉛直上方に配置することができ、上段ケース３３の左右方向の幅を大きく形成できる。従って、収納ケース２５の内容量を大きくすることができる。
【００３９】
下段ケース３８の底壁３８ｄの外面には底壁３８ｄを補強する複数のリブ４５が立設している。図６は下段ケース３８の底壁３８ｄの側面断面図を示している。
【００４０】
下段ケース３８の底壁３８ｄの内面には給水や貯蔵物から漏れた液体を流して貯蔵物との接触を防止する複数の溝部４６が凹設されている。リブ４５及び溝部４６は下段ケース３８の短手方向（左右方向）に延びて形成されている。この時、リブ４５が溝部４６の側壁４６ａに沿って形成されている。
【００４１】
このため、下段ケース３８の成形時にリブ４５によるヒケが発生しても溝部４６の側壁４６ａに沿って発生するため、ヒケを目立たなくすることができる。従って、下段ケース３８の美観を向上することができる。この時、リブ４５及び溝部４６を短手方向にのみ延びて形成すると、長手方向にのみ延びて形成して比較品と比較して底壁３８ｄの撓みが小さくなった。このため、リブ４５及び溝部４６を短手方向にのみ延びて形成することにより、美観を向上して底壁３８ｄの撓みの小さい下段ケース３８を得ることができる。尚、上段ケース３３や他の貯蔵室の収納ケースに同様のリブ４５及び溝部４６を設けてもよい。
【００４２】
上記構成の冷蔵庫１において、圧縮機２１及び送風機（不図示）の駆動によって冷気通路２２を流通する空気が冷却器１０と熱交換して冷気が生成され、吐出口から冷凍室６、８に吐出され、戻り口を介して冷却器１０に戻る。これにより、冷凍室６、８内が氷点よりも低温に維持される。
【００４３】
ダンパ（不図示）が開かれると冷気通路２２を流通する冷気の一部が冷気通路２３に流入し、吐出口２３ａから冷蔵室５に吐出される。冷蔵室５に吐出された冷気により冷蔵室５内が冷却され、冷蔵室５内が氷点よりも高温に維持される。冷蔵室５を流通した冷気は連通路３２を介して冷気流入口３１から収納ケース２５の開口部２５ａの前端よりも前方に冷気が吐出される。冷気は野菜室７に流入して収納ケース２５の下方や側方を流通し、戻り口（不図示）を介して冷却器１０に戻る。これにより、野菜室７が冷蔵室５よりも高温に維持される。
【００４４】
ユーザの使用により、冷蔵室５内に結露水や貯蔵物から漏れた液体が溜まった場合に、液体は冷気流出口３０の下端の孔部３０ｂから流出する。そして、液体が孔部３１ａから下方に滴下し遮蔽部材１６により受け止められて凹部１６ｂ内に回収される。
【００４５】
本実施形態によると、開口部２５ａの前端よりも前方に冷気流入口３１から冷気が吐出されるため、収納ケース２５内の乾燥を抑えて貯蔵物の鮮度を保つことができる。
【００４６】
冷気流入口３１が孔部３１ａ、３１ｂ、３１ｃから成り、一部の孔部３１ａによって遮蔽部材１６の鉛直方向に対向する対向部が形成される。このため、冷蔵室５内の液体が冷気流出口３０から吐出されても、液体は遮蔽部材１６により受け止められる。これにより、収納ケース２５内に液体が進入することを防止することができる。
【００４７】
また、傾斜面１１ａ上に冷気流出口３０が開口し、冷気流出口３０の下端３０ａが孔部３１ａ（対向部）の鉛直上方に配されている。これにより、液体が冷気流出口３０から吐出されても、確実に収納ケース２５内に液体が進入することを防止することができる。
【００４８】
また、下段ケース３８がフレーム７ｂ、７ｃに支持される載置部４０ａ、４０ｂと、載置部４０ａ、４０ｂよりも上方で前壁３８ｃの上端部から冷気の流通を確保できるように前方に突出する突出部４１ａ、４１ｂとを有している。また、扉７ａに設けた支持部７ｄが突出部４１ａ、４１ｂに当接または近接する。このため、前方に引き出された収納ケース２５に重量の大きい貯蔵物を収納した場合やユーザが収納ケース２５の前部に体重をかけた場合に支持部７ｄにより支持され、収納ケース２５の傾倒を防止することができる。従って、冷蔵庫１の使用性を向上することができる。
【００４９】
また、突出部４１ａ、４１ｂが冷気流入口３１と左右方向に異なる位置に配置されるため、冷気流入口３１から野菜室７に流入する冷気が突出部４１ａ、４１ｂに妨げられず、野菜室７内を冷却することができる。
【００５０】
また、溝部４６及びリブ４５が収納ケース２５の短手方向にのみ延び、リブ４５が溝部４６の側壁４６ａに沿って形成されるため、美観を向上して底壁３８ｄの撓みの小さい下段ケース３８を得ることができる。
【００５１】
（第２実施形態）
次に図７は第２実施形態の冷蔵庫１の側面断面図を示している。説明の便宜上、前述の図１〜図６に示す第１実施形態と同様の部分には同一の符号を付している。本実施形態は第１実施形態の遮蔽部材１６を省き、仕切壁１１が収納ケース２５の上方に近接する。本実施形態においても、冷気が冷気流入口３１から開口部２５ａの前端よりも前方に吐出されるため、収納ケース２５内の乾燥を抑えて貯蔵物の鮮度を保つことができる。
【００５２】
また、孔部３１ａは収納ケース２５の開口部２５ａよりも前方に配されている。これにより、結露水や貯蔵物から漏れた液体が収納ケース２５内に流入することを防止できる。さらに、遮蔽部材１６は仕切壁１１により形成されているため、野菜室７の容量を大きくすることができる。
【００５３】
（第３実施形態）
次に図８は第３実施形態の冷蔵庫１の下段ケース３８の突出部４１ｃの上面図を示している。説明の便宜上、前述の図１〜図６に示す第１実施形態と同様の部分には同一の符号を付している。本実施形態は第１実施形態の突出部４１ａ、４１ｂに替えて突出部４１ｃが設けられている。その他は第１実施形態と同様である。
【００５４】
突出部４１ｃは下段ケース３８の前壁３８ｃの上端部の左右方向の中央部から前方に突出している。これにより、突出部４１ｃの両側方には切欠部３８ｅ、３８ｆが形成される。切欠部３８ｅの上方には冷気流入口３１が設けられている。
【００５５】
本実施形態によると、第１実施形態と同様の効果を奏することができる。なお、本実施形態において、切欠部３８ｅ、３８ｆの上方のそれぞれに冷気流入口３１を設けてもよい。
【産業上の利用可能性】
【００５６】
本発明によると、前後方向にスライドする収納ケースを備えた冷蔵庫に利用することができる。
【符号の説明】
【００５７】
１    冷蔵庫
２    本体部
３    断熱箱体
４    発泡断熱材
５    冷蔵室（第１貯蔵室）
５ａ、５ｂ  扉
６    冷凍室
６ａ  上室
６ｂ  下室
６ｃ、６ｄ  扉
７    野菜室（第２貯蔵室）
７ａ  扉
７ｂ、７ｃ  フレーム
７ｄ  支持部
８      冷凍室
１０    冷却器
１１    仕切壁
１１ａ  傾斜面
１３    仕切壁
１４    ガイド部
１５    収納ケース
１６    遮蔽部材
１６ａ  リブ
１６ｂ  凹部
１６ｃ、ｄ  側壁
１６ｅ  後壁
１７    内箱
１８    外箱
１９    断熱材
２０    機械室
２１    圧縮機
２２    冷気通路
２３    冷気通路
２３ａ  吐出口
２５    収納ケース
２５ａ  開口部
３０    冷気流出口
３０ａ  下端
３１ｂ、３１ｃ、３１ｄ  孔部
３１    冷気流入口
３１ａ  孔部、対向部
３１ｂ、３１ｃ  孔部
３２    連通路
３３    上段ケース
３８    下段ケース
３８ａ  側壁
３８ｂ  側壁
３８ｃ  前壁
３８ｄ  底壁
３８ｅ、３８ｆ  切欠部
３８ｇ  前部
３８ｅ、３８ｆ  切欠部
３９    切欠部
４０ａ  載置部
４０ｂ  載置部
４０ｃ、４０ｄ  フランジ
４０ｅ、４０ｆ  リブ
４１ａ、４１ｂ、４１ｃ  突出部
４５    リブ
４６    溝部
４６ａ  側壁
【図１】
2015161487.tif 000003
【図２】
2015161487.tif 000004
【図３】
2015161487.tif 000005
【図４】
2015161487.tif 000006
【図５】
2015161487.tif 000007
【図６】
2015161487.tif 000008
【図７】
2015161487.tif 000009
【図８】
2015161487.tif 000010